(57)【要約】【課題】同時に記録される２画角の画像データに対して、適切なズーム制御が可能となる撮像装置及び撮像装置の制御方法を提供すること。【解決手段】大小判定部１０は、第１の領域又は第２の領域のズーム倍率に応じて、第１の領域を指定する第１の座標情報又は第２の領域を指定する第２の座標情報を変更する。変更された座標情報及び記憶手段に記憶されている座標情報に基づいて、第２の領域が第１の領域に内包されるか否かが判断される。第２の領域は第１の領域に内包されないと判断された場合に、大小判定部１０は第１の座標情報又は第２の座標情報を調整する。第１録画用ズーム処理部３及び第２録画用ズーム処理部は、第１の座標情報及び第２の座標情報に基づいて、第１の領域に対応する第１の撮像データ及び第２の領域に対応する第２の撮像データを、前記撮像データから切り出してズーム処理を行う。【選択図】      図１
2010010925.tif 000002
【特許請求の範囲】
【請求項１】
撮像領域を撮像して撮像データを得る撮像手段と、
撮像領域中の第１の領域を指定する第１の座標情報と前記第１の領域に内包される第２の領域を指定する第２の座標情報とを記憶する記憶手段と、
前記第１の領域又は前記第２の領域のズーム倍率に応じて、前記記憶手段に記憶されている前記第１の座標情報又は前記第２の座標情報を変更し、該変更された座標情報及び前記記憶手段に記憶されている座標情報に基づいて、前記第２の領域が前記第１の領域に内包されるか否かを判断する判断手段と、
前記第２の領域は前記第１の領域に内包されないと前記判断手段が判断した場合に、前記記憶手段に記憶されている前記第１の座標情報又は前記第２の座標情報を調整する座標調整手段と、
前記座標調整手段によって調整され、前記記憶手段に記憶されている前記第１の座標情報及び前記第２の座標情報に基づいて、前記第１の領域に対応する第１の撮像データ及び前記第２の領域に対応する第２の撮像データを、前記撮像データから切り出してズーム処理を行うズーム手段と
を具備する撮像装置。
【請求項２】
前記判断手段は、前記第２の領域のズーム倍率の変更が指示された場合に前記記憶手段に記憶されている前記第２の座標情報を変更し、該変更された第２の座標情報と前記記憶手段に記憶されている前記第１の座標情報とに基づいて、前記第２の領域が前記第１の領域に内包されるか否かを判断し、
前記座標調整手段は、前記判断手段が前記第２の領域は前記第１の領域に内包されないと判断した場合に、前記第２の領域が前記第１の領域に内包されるように、前記第２の記憶手段に記憶されている前記第２の座標情報を調整する、
請求項１に記載の撮像装置。
【請求項３】
前記座標調整手段は、前記第２の領域の中心を移動させて、前記第２の領域が前記第１の領域に内包されるよう前記記憶手段に記憶されている前記第２の座標情報を調整する、請求項２に記載の撮像装置。
【請求項４】
前記座標調整手段は、前記第１の領域からはみ出す領域を前記第２の領域から取り除くように、前記記憶手段に記憶されている前記第２の座標情報を調整する、請求項２に記載の撮像装置。
【請求項５】
前記座標調整手段は、前記第２の領域の中心を移動させて、前記第２の領域が前記第１の領域に内包されるよう前記記憶手段に記憶されている前記第２の座標情報を調整するか、前記第１の領域からはみ出す領域を前記第２の領域から取り除くよう、前記記憶手段に記憶されている前記第２の座標情報を調整するかを、ユーザの指示に応じて選択する、請求項２に記載の撮像装置。
【請求項６】
前記判断手段は、前記第１の領域のズーム倍率の変更が指示された場合に前記記憶手段に記憶されている前記第１の座標情報を変更し、該変更された第１の座標情報と前記記憶手段に記憶されている前記第２の座標情報とに基づいて、前記第２の領域が前記第１の領域に内包されるか否かを判断し、
前記座標調整手段は、前記判断手段が前記第２の領域は前記第１の領域に内包されないと判断した場合に、前記第２の領域が前記第１の領域に内包されるように、前記第２の記憶手段に記憶されている前記第２の座標情報を調整する、
請求項１に記載の撮像装置。
【請求項７】
前記座標調整手段は、前記第２の領域の中心を移動させて、前記第２の領域が前記第１の領域に内包されるよう前記記憶手段に記憶されている前記第２の座標情報を調整する、請求項６に記載の撮像装置。
【請求項８】
前記座標調整手段は、前記第１の領域からはみ出す領域を前記第２の領域から取り除くように、前記記憶手段に記憶されている前記第２の座標情報を調整する、請求項６に記載の撮像装置。
【請求項９】
前記座標調整手段は、前記第２の領域の中心を移動させて、前記第２の領域が前記第１の領域に内包されるよう前記記憶手段に記憶されている前記第２の座標情報を調整するか、前記第１の領域からはみ出す領域を前記第２の領域から取り除くよう、前記記憶手段に記憶されている前記第２の座標情報を調整するかを、ユーザの指示に応じて選択する、請求項６に記載の撮像装置。
【請求項１０】
前記判断手段は、前記第１の領域と第２の領域のいずれか一方のズーム倍率の変更が指示されると、前記記憶手段に記憶されている前記第１の座標情報及び前記第２の座標情報両方を、該ズーム倍率の変更に応じて変更する、請求項１に記載の撮像装置。
【請求項１１】
独立ズームモードと、連動ズームモードのいずれかを設定するモード設定手段を更に備え、
前記判断手段は、
前記独立ズームモードが設定されている場合には、前記第１の領域又は前記第２の領域のズーム倍率に応じて、前記記憶手段に記憶されている前記第１の座標情報又は前記第２の座標情報を変更し、該変更された座標情報及び前記記憶手段に記憶されている座標情報に基づいて、前記第２の領域が前記第１の領域に内包されるか否かを判断し、
前記連動ズームモードが設定されている場合には、前記第１の領域と第２の領域のいずれか一方のズーム倍率の変更が指示されると、前記記憶手段に記憶されている前記第１の座標情報及び前記第２の座標情報両方を、該ズーム倍率の変更に応じて変更する、請求項１に記載の撮像装置。
【請求項１２】
前記モード設定手段は、ユーザからの指示に応じて、前記独立ズームモードと連動ズームモードのいずれかを設定する、請求項１１に記載の撮像装置。
【請求項１３】
前記独立ズームモードにおいて、前記第２の領域のズーム倍率の変更が指示され、前記判断手段によって前記記憶手段に記憶されている前記第２の座標情報が変更され、該変更された第２の座標情報と前記記憶手段に記憶されている前記第１の座標情報とに基づいて、前記第１の領域と前記第２の領域が一致すると判断されると、前記モード設定手段は前記独立ズームモードに換えて前記連動ズームモードを設定する、
請求項１１に記載の撮像装置。
【請求項１４】
前記独立ズームモードにおいて、前記第１の領域のズーム倍率の変更が指示され、前記判断手段によって前記記憶手段に記憶されている前記第１の座標情報が更新され、該変更された第１の座標情報と前記記憶手段に記憶されている前記第２の座標情報とに基づいて、前記第１の領域と前記第２の領域が一致すると判断されると、前記モード設定手段は前記独立ズームモードに換えて前記連動ズームモードを設定する、
請求項１１に記載の撮像装置。
【請求項１５】
前記ズーム手段によってズーム処理された第１の撮像データを第１の記憶部に記憶し、前記ズーム手段によってズーム処理された第２の撮像データを第２の記憶部に記憶する記憶制御手段を更に具備する、請求項１に記載の撮像装置。
【請求項１６】
前記ズーム手段によってズーム処理された第１の撮像データを表示部に表示し、前記ズーム手段によってズーム処理された第２の撮像データを前記表示部上に設けられた所定の表示領域に表示する表示制御手段を更に具備する、請求項１に記載の撮像装置。
【請求項１７】
撮像領域を撮像して撮像データを得る撮像手段と、撮像領域中の第１の領域を指定する第１の座標情報と前記第１の領域に内包される第２の領域を指定する第２の座標情報とを記憶する記憶手段とを具備する撮像装置を用いた撮像方法であって、
前記第１の領域又は前記第２の領域のズーム倍率に応じて、前記記憶手段に記憶されている前記第１の座標情報又は前記第２の座標情報を変更し、該変更された座標情報及び前記記憶手段に記憶されている座標情報に基づいて、前記第２の領域が前記第１の領域に内包されるか否かを判断し、
前記第２の領域は前記第１の領域に内包されないと判断された場合に、前記記憶手段に記憶されている前記第１の座標情報又は前記第２の座標情報を調整し、
調整され、前記記憶手段に記憶されている前記第１の座標情報及び前記第２の座標情報に基づいて、前記第１の領域に対応する第１の撮像データ及び前記第２の領域に対応する第２の撮像データを、前記撮像データから切り出してズーム処理を行う、
撮像方法。
【請求項１８】
前記第２の領域のズーム倍率の変更が指示された場合に前記記憶手段に記憶されている前記第２の座標情報を変更し、該変更された第２の座標情報と前記記憶手段に記憶されている前記第１の座標情報とに基づいて、前記第２の領域が前記第１の領域に内包されるか否かを判断し、
前記第２の領域は前記第１の領域に内包されないと判断された場合に、前記第２の領域が前記第１の領域に内包されるように、前記第２の記憶手段に記憶されている前記第２の座標情報を調整する、
請求項１７に記載の撮像方法。
【請求項１９】
前記第１の領域のズーム倍率の変更が指示された場合に前記記憶手段に記憶されている前記第１の座標情報を変更し、該変更された第１の座標情報と前記記憶手段に記憶されている前記第２の座標情報とに基づいて、前記第２の領域が前記第１の領域に内包されるか否かを判断し、
前記第２の領域は前記第１の領域に内包されないと判断された場合に、前記第２の領域が前記第１の領域に内包されるように、前記第２の記憶手段に記憶されている前記第２の座標情報を調整する、
請求項１７に記載の撮像方法。
【発明の詳細な説明】
【技術分野】
【０００１】
本発明は、撮像装置及び撮像方法に関する。
【背景技術】
【０００２】
従来、画角が異なる２画像を１つの画像から生成して同時に記録する撮像装置が実用化されている。特許文献１に記載されているカメラでは、部分的に撮影される指定部画像の位置と大きさを示すエリア枠が表示部の画面上にモニタ画像に重畳して表示される。ユーザが右手でスイッチを押している間は、表示部に表示された全域画像が記録される。ユーザが左手でエリア枠の位置や大きさを指定すると、タッチパネルがそれを検出して、エリア枠１２ａ内の指定部画像が記録される。このため、全域画像を記録しながら、部分的な指定部画像をも同時に記録することができる。
【特許文献１】特開２００７−２９５５２９号公報（段落００２５、図３）
【発明の開示】
【発明が解決しようとする課題】
【０００３】
上述のカメラでは、２画面を同時に記録することができる。しかしながらこのカメラでは、当該２画面に対してユーザが個別のズーム倍率制御を行なう際の操作性の煩雑さが顕著に現れてしまう。
【０００４】
本発明は、前記のような問題に鑑みなされたもので、同時に記録される２画角の画像データに対して、適切なズーム制御が可能となる撮像装置及び撮像装置の制御方法を提供することを目的とする。
【課題を解決するための手段】
【０００５】
本発明の一実施形態に係る撮像装置は、撮像領域を撮像して撮像データを得る撮像手段と、撮像領域中の第１の領域を指定する第１の座標情報と前記第１の領域に内包される第２の領域を指定する第２の座標情報とを記憶する記憶手段と、前記第１の領域又は前記第２の領域のズーム倍率に応じて、前記記憶手段に記憶されている前記第１の座標情報又は前記第２の座標情報を変更し、該変更された座標情報及び前記記憶手段に記憶されている座標情報に基づいて、前記第２の領域が前記第１の領域に内包されるか否かを判断する判断手段と、前記第２の領域は前記第１の領域に内包されないと前記判断手段が判断した場合に、前記記憶手段に記憶されている前記第１の座標情報又は前記第２の座標情報を調整する座標調整手段と、前記座標調整手段によって調整され、前記記憶手段に記憶されている前記第１の座標情報及び前記第２の座標情報に基づいて、前記第１の領域に対応する第１の撮像データ及び前記第２の領域に対応する第２の撮像データを、前記撮像データから切り出してズーム処理を行うズーム手段とを具備する。
【発明の効果】
【０００６】
本発明の一実施形態に係る撮像装置によれば、判断手段は、第１の領域又は第２の領域のズーム倍率に応じて、記憶手段に記憶されている第１の座標情報又は第２の座標情報を変更する。また判断手段は、該変更された座標情報及び記憶手段に記憶されている座標情報に基づいて、第２の領域が第１の領域に内包されるか否かを判断する。第２の領域が第１の領域に内包されないと判断された場合、座標調整手段は記憶手段に記憶されている第１の座標情報又は第２の座標情報を調整する。ズーム手段は、第１の座標情報及び第２の座標情報に基づいて、第１の領域に対応する第１の撮像データ及び第２の領域に対応する第２の撮像データを撮像データから切り出してズーム処理を行う。第１の領域又は第２の領域のズーム倍率に応じて変更された第１の座標情報又は第２の座標情報に基づいて第１の領域と第２の領域の包含関係を判定し、判定結果に基づいて調整が行われるため、同時に記録される２画角の画像データに対して、適切なズーム制御が可能となる。
【発明を実施するための最良の形態】
【０００７】
以下、図面を参照して本発明による撮像装置の実施形態を説明する。
【０００８】
図１は本発明の一実施形態に係る撮像装置の構成を示すブロック図である。
【０００９】
撮像装置１００の各構成要素は、内部バス９を介してＣＰＵ１に接続されている。ＣＰＵ１と各構成要素との間では、内部バス９を介して信号の入出力が行われる。ＣＰＵ１は図示しないＲＯＭに記憶されているプログラムに従い、撮像装置１００全体の動作を制御する。
【００１０】
操作部（入力装置）７は、ＪＯＧダイヤル、十字キー、ＲＥＣキー等を含む操作キー群１０１を有する。操作キー群１０１は、撮像装置１００の本体に設置されている。ユーザが操作キー群１０１のいずれかのキーを操作すると、操作に応じた入力情報が、操作部７からＣＰＵ１に伝達される。ユーザはキー操作によって、撮像装置１００の機能（例えば、再生の開始や停止、撮影の停止や一時停止など）の選択及び実行を指示することができる。また、動画像の再生中にＪＯＧダイヤルが操作されると、その操作に応じて再生速度が調整される。またユーザは、キー操作によってズーム倍率を設定することができる。後述する撮像領域Ａ、及びこれとは異なる画角の撮像領域Ｂに対して、同一のズーム倍率を設定することも可能であるが、それぞれの撮像領域に対して、独立してズーム倍率を設定できてもよい。また、両領域のズーム倍率は、互いに連動して変化するように設定してもよい。ユーザがＲＥＣキーを押下すると、録画の開始指示がＣＰＵ１に入力する。
【００１１】
この撮像装置１００はカメラ部１０７を備えている。カメラ部１０７は、光学レンズ系と、例えばＣＣＤ（Charge  Coupled  Devices）等のイメージセンサを備えている。カメラ部１０７では、所定の画角によって特定される撮像領域（被写体）の光学像が光学レンズ系を介して結像され、イメージセンサによって電気信号（撮像データ）に変換される。
【００１２】
データ入力部１１は、データ処理部１２が画像処理できる単位となるよう、カメラ部１０７から入力する撮像データを処理する。例えば、撮像データにおける画素の順番を入れ替える等の処理が行われる。また、データ入力部１１は、光学レンズを移動させるために、ＣＰＵ１の指示に基づいて撮像モータの制御も行う。光学レンズの移動によって、被写体に焦点を合わせたり、光学ズームを行ったりすることが可能になる。
【００１３】
データ処理部１２は、撮像データに対して各種ノイズ除去やセンサーの画素配列に応じたデモザイキング処理といった画像処理を施す。これらの画像処理によって、イメージセンサの画素から生成可能な最大広角の画像データが生成される。生成された画像データはメモリ２内のフィールドバッファ空間に一時的に格納される。
【００１４】
第１録画用ズーム処理部３及び第２録画用ズーム処理部４は、メモリ２から読み出した画像データに対して、所定のズーム処理を行う。第１録画用ズーム処理部３は、後述する撮像領域Ａ（図２参照）に対応する画像データａ０に対してズーム処理を行い、第２録画用ズーム処理部４は、後述する撮像領域Ｂ（図２参照）に対応する画像データｂ０に対してズーム処理を行う。画像データａ０は、ユーザによって設定された撮像領域Ａのサイズとズーム倍率とに基づいて、メモリ２に記憶された画像データから切り出される。第１録画用ズーム処理部３は、この切り出された画像データａ０に対して、設定されたズーム倍率に応じたズーム処理を行い、画像データａ１を生成する。同様に、撮像領域Ｂのサイズ及びズーム倍率に基づいて画像データｂ０がメモリ２に記憶された画像データから切り出される。第２録画用ズーム処理部４は、切り出された画像データｂ０に対して、設定されたズーム倍率に応じたズーム処理を行い、画像データｂ１を生成する。第１録画用ズーム処理部３、及び第２録画用ズーム処理部４が行うズーム処理は、例えば画素補間処理や画素間引き処理を含む。
【００１５】
大小判定部１０は、ユーザが撮像領域Ａ又は撮像領域Ｂのズーム倍率の変更が指示された場合に、ズーム後の撮像領域Ａ又は撮像領域Ｂを指定する座標情報を算出する。また大小判定部１０は、算出された座標情報に基づいて、ズーム後の撮像領域Ａ及び撮像領域Ｂの大小関係（包含関係）を判定する。そして、大小判定部１０によって判定された包含関係に基づいて、ズーム後の両領域を指定する座標情報Ｐ及び座標情報Ｑが調整される。本実施形態においては、ズーム処理の後、撮像領域Ｂが撮像領域Ａに包含されて撮像領域Ａからはみ出さなくなるように座標情報の調整がなされる。
【００１６】
第１コーデック部１３及び第２コーデック部１４は、画像データの圧縮及び伸張を行う。動画像データはＭＰＥＧ−２に従って圧縮され、静止画像データはＪＰＥＧに従って圧縮される。また、第１コーデック部１３、及び第２コーデック部１４は、ＣＰＵ１の指示に応じて、ＭＰＥＧ−２で圧縮された動画像データの伸張及びＪＰＥＧ圧縮された静止画像データの伸張も行う。ただし、第１コーデック部１３、及び第２コーデック部１４による圧縮の方式は、ＭＰＥＧ−２、ＪＰＥＧに限定されるものではない。本実施の形態においては、第１コーデック部１３は後述するように画像データａ１を圧縮し、画像データａ２を生成する。また第２コーデック部１４は画像データｂ１を圧縮し、画像データｂ２を生成する。
【００１７】
親画面用リサイズ処理部５は、ＬＣＤ１０９の表示画面上に設定された親画面Ｄ１の表示サイズに合わせて画像データａ１のリサイズ処理を行い、画像データａ３を生成する。また、子画面用リサイズ処理部６は、ＬＣＤ１０９の表示画面上に設定された子画面Ｄ２の表示サイズに合わせて画像データｂ１のリサイズ処理を行い、画像データｂ３を生成する。親画面用リサイズ処理部５によって生成された画像データａ３及び子画面用リサイズ処理部６によって生成された画像データｂ３は、ＬＣＤ１０９に送られて親画面Ｄ１及び親画面Ｄ２にそれぞれ表示される。本実施形態では、ＬＣＤ１０９の表示画面全体が親画面Ｄ１とされ（図５参照）、画像データａ３はこの親画面Ｄ１に表示される。また、親画面Ｄ１より小さい子画面Ｄ２が親画面Ｄ１上に設けられ、画像データｂ３はこの子画面Ｄ２に表示される。
【００１８】
リサイズ処理された画像データａ３及び画像データｂ３は、表示・音声制御部１５に出力される。表示・音声制御部１５は、画像データをＬＣＤ表示部１０９のインタフェースに適合した表示信号に変換する。変換された画像データはＬＣＤ１０９に表示される。ＬＣＤ１０９には、画像データに限らず、画像データを編集するための編集制御情報や、画像データの表示を変更するための表示制御情報等も表示可能である。画像データと共に音声データも伸張された場合には、当該音声データも、表示・音声制御部１５を介してスピーカ１７に出力される。
【００１９】
表示・音声制御部１５は、ＣＰＵ１の指示に従い、外部出力端子１８を介して図示しない外部装置に画像データ及び音声データを出力することもできる。例えば、外部出力端子１８は、コンポジット端子、Ｓ端子、コンポーネント端子、Ｄ端子及びＨＤＭＩ端子等を含んでもよい。パーソナルコンピュータ（ＰＣ）やＤＶＤプレーヤ等の外部出力端子１８に接続された外部装置は、送られてきた画像データ及び音声データを再生する。また、画像データのみが外部モニタに送られてもよい。あるいは、音声データのみが外部スピーカに送られてもよい。
【００２０】
撮像装置１００は、画像データ及び音声データを記憶するためのハードディスクドライブ（ＨＤＤ）１９を有する。撮像された画像データ及び付随する音声データの記憶（録画処理）は、記録制御部８によって制御される。ＨＤＤ１９は、内蔵するハードディスク（ＨＤ）に圧縮された画像データ及び音声データを記録する。ＨＤＤ１９は、内蔵ハードディスクに対するランダムアクセスが可能である。ＨＤＤ１９は、撮像装置１００に内蔵されていてもよいが、外付けされていてもよい。ＨＤＤ１９に換えて、フラッシュメモリやＳＳＤ（Ｓｏｌｉｄ  Ｓｔａｔｅ  Ｄｉｓｋ）等が用いられてもよい。画像データ及び音声データは、ＳＤメモリカード、メモリスティック、ＦＬＡＳＨ  ＲＯＭ等の外部記録媒体２０に記憶されてもよい。また撮像装置１００は、ＨＤＤ１９あるいは外部記録媒体２０に記憶されている画像データ及び音声データを読み出して再生することも可能である。
【００２１】
撮像装置１００は、図示しないＬＡＮ端子を備え、ＤＶＤレコーダやＨＤＤレコーダ、パーソナルコンピュータ等の外部装置とＬＡＮで接続されてもよい。画像データや音声データは、ＬＡＮ端子を介して接続された外部装置に転送されて、再生又は記憶される。あるいは、外部装置に記憶された画像データや音声データがＬＡＮ端子を介して撮像装置１００に入力し、再生又は記憶されてもよい。また、撮像装置１００はＬＡＮ端子に換えて、あるいはＬＡＮ端子に加えてＵＳＢ端子を備え、撮像装置１００と外部装置とがＵＳＢ接続されてもよい。
【００２２】
本実施形態による撮像装置１００では、カメラ部１０７のイメージセンサが撮像する撮像データから、異なる画角に対応する画像データが取得され録画される。図２は、イメージセンサによって撮像される撮像領域の一例を示す。
【００２３】
図２では、イメージセンサによって撮像される領域が、撮像領域Ｃによって示されている。撮像装置１００は、上記撮像領域Ｃに含まれる撮像領域Ａの画像データ（画像データａ０）と、更に撮像領域Ａに含まれる撮像領域Ｂの画像データ（画像データｂ０）を同時に録画する機能を有している。
【００２４】
例えば、図２の例では、被写体Ｓｂ１〜Ｓｂ４が含まれる広角の領域が撮像領域Ａとして選択され、そのうちの一つの被写体Ｓｂ１（の一部）を含む領域が撮像領域Ｂとされている。
【００２５】
矩形の撮像領域Ａは、図２に示すように、４つの頂点（Ｐ０，Ｐ１，Ｐ２，Ｐ３）によって指定される。同様に、矩形の撮像領域Ｂは、４つの頂点（Ｑ０，Ｑ１，Ｑ２，Ｑ３）によって指定される。撮像領域Ａを指定する頂点（Ｐ０，Ｐ１，Ｐ２，Ｐ３）の座標情報Ｐ、及び撮像領域Ｂを指定する頂点（Ｑ０，Ｑ１，Ｑ２，Ｑ３）の座標情報Ｑは、例えば図３に示すようなテーブルに格納され、メモリ２の所定の記憶領域に記憶されている。
【００２６】
これらの撮像領域Ａ及び撮像領域Ｂは、デフォルトで設定されていてもよいが、ユーザによるキー操作に応じて設定可能であってもよい。また、動画撮影中にユーザによる操作部７の操作によって設定されたり、設定が変更されたりしてもよい。ユーザが操作部７を操作してズーム倍率の変更を指示した場合には、後述する座標情報更新処理によって、座標情報Ｐ及び座標情報Ｑが変更される。なお、図２に示す例では矩形の撮像領域Ａ、Ｂが設定されているが、これらの領域の形状は矩形に限られるものではない。
【００２７】
次に、本実施形態の撮像装置１００による２画角同時録画処理について説明する。図４は、２画角同時録画処理のフローチャートを示す。
【００２８】
カメラ部１０７によって取得された撮像データは、データ入力部１１に入力する（ブロックＢ４０２）。データ入力部１１は、データ処理部１２が画像処理できる単位となるように撮像データを処理する（ブロックＢ４０４）。ここでは、例えば撮像データの画素の順番を入れ替える等の処理が行われる。データ入力部１１によって処理された撮像データはデータ処理部１２に送られる。データ処理部１２は受け取った撮像データに対して、各種ノイズ除去やセンサーの画素配列に応じたデモザイキング処理といった画像処理を施して画像データを生成する（ブロックＢ４０６）。ここで、データ処理部１２によって生成される画像データは、カメラ部１０７のイメージセンサから生成可能な最大広角の画像を示すデータである（以下、「最大広角画像データｃ」と称する）。なお、この最大広角画像データｃは、図２の撮像領域Ｃに対応する。生成された最大広角画像データｃは、メモリ２上のフィールドバッファ空間２０１に書き込まれる。
【００２９】
次に、上記フィールドバッファ空間２０１に書き込まれた最大広角画像データｃから、図２の撮像領域Ａに対応する画像データａ０が読み出される（ブロックＢ４１０）。すなわち、上述の座標情報Ｐ（図３参照）によって指定される撮像領域Ａに対応する画像データａ０が最大広角画像データｃから抽出されて読み出される。
【００３０】
第１録画用ズーム処理部３は、読み出された画像データａ０に対して設定されたズーム倍率に基づくズーム処理を行い、画像データａ１を生成する（ブロックＢ４１２）。このズーム倍率は、ユーザによる操作キー群１０１の操作に応じて設定されているものである。第１録画用ズーム処理部３は具体的には、画素補完や画素間引き等を含むズーム処理を行う。ズーム処理によって生成された画像データａ１は、メモリ２上のフィールドバッファ空間２０２ａに記憶される。
【００３１】
続いて第１コーデック部１３が、上記画像データａ１を読み出して圧縮処理を施し、画像データａ２を生成する（ブロックＢ４１４）。圧縮処理によって生成された画像データａ２は、記録制御部８を介してＨＤＤ１９に記憶される（ブロックＢ４１６）。以上のような処理により、撮像領域Ａに対応して生成された画像データａ２がＨＤＤ１９に保存され、撮像領域Ａの録画が達成される。
【００３２】
また、撮像領域Ｂの録画は、以下のように行われる。
【００３３】
フィールドバッファ空間２０１に書き込まれた最大広角画像データｃから、図２の撮像領域Ｂに対応する画像データｂ０が読み出される（ブロックＢ４２０）。上述の座標情報Ｑ（図３参照）によって指定される撮像領域Ｂに対応する画像データｂ０が最大広角画像データｃから抽出されて読み出される。
【００３４】
第２録画用ズーム処理部４は、読み出された画像データｂ０に対して設定されたズーム倍率に基づくズーム処理を行う（ブロックＢ４２２）。ズーム倍率は、ユーザによるキー操作に応じて設定されているが、上述の撮像領域Ａに対して設定されていたズーム倍率とは異なる倍率が設定されていてもよい。第２録画用ズーム処理部４は具体的には、画素補完や画素間引き等を含むズーム処理を行い、画像データｂ１を生成する。ズーム処理によって生成された画像データｂ１は、メモリ２上のフィールドバッファ空間２０２ｂに記憶される。
【００３５】
続いて第２コーデック部１４が、上記画像データｂ１を読み出して圧縮処理を施し、画像データｂ２を生成する（ブロックＢ４２４）。圧縮処理によって生成された画像データｂ２は、記録制御部８を介して外部記憶媒体２０に記憶される（ブロックＢ４２６）。以上の処理により、撮像領域Ｂに対応して生成された画像データｂ２が外部記憶媒体２０に保存され、撮像領域Ｂの映像の録画が達成される。
【００３６】
上述の２画角同時録画処理により、１つのカメラ部１０７から得た１つの撮像データから、２画角の画像データａ２，ｂ２を同時に取得して記録することができ、２画角同時録画機能が実現される。
【００３７】
なお、ブロックＢ４２０〜Ｂ４２６の処理を実行しなければ、撮像領域Ａに係る画像データａ２のみを記憶することも可能である。同様に、ブロックＳ４１０〜Ｓ４１６を実行しなければ、撮像領域Ｂに係る画像データｂ２のみを記憶することも可能である。
【００３８】
また、２画角の画像データを同時に記録している間であっても、ユーザによる操作キー群１０１の操作に応じて、ブロックＢ４２０〜Ｂ４２６の処理を適切なタイミングで停止させてもよい。これによって、２画角同時記録の途中で撮像領域Ｂの録画のみを停止させることができる。また、同様にユーザの操作に応じてブロックＢ４１０〜Ｂ４１６の処理を停止させ、撮像領域Ａの録画を停止させることもできる。
【００３９】
上述の説明では、撮像領域Ａの録画処理（ブロックＢ４１０〜Ｂ４１６）と撮像領域Ｂの録画処理（ブロックＢ４２０〜Ｂ４２６）とが並列的に行われたが、撮像領域Ａの録画の後に撮像領域Ｂの録画が行われても、あるいは逆に、撮像領域Ｂの録画の後に撮像領域Ａの録画が行われてもよい。または、撮像領域Ａの録画及び撮像領域Ｂの録画は、互いに独立した処理として実行されてもよい。
【００４０】
また、撮像領域Ａに係る画像データａ２はＨＤＤ１９に、撮像領域Ｂに係る画像データｂ２は外部記録媒体２０に記憶されるものとして説明したが、これとは逆に、画像データａ２が外部記録媒体２０に、画像データｂ２がＨＤＤ１９に記憶されてもよい。あるいは、画像データａ２及び画像データｂ２が同一の記憶装置に記憶されてもよい。
【００４１】
また、画像データａ２及び画像データｂ２は、同一の画像フォーマットで生成されてもよいが、異なる画像フォーマットで生成されてもよい。第１コーデック部１３による圧縮処理の圧縮レートと、第２コーデック部１４による圧縮処理の圧縮レートと同じであってもよいが、互いに異なっていてもよい。
【００４２】
これらの録画に関する設定は、ユーザによる操作キー群１０１の操作に応じて選択可能な構成とすることもできる。
【００４３】
次に、上述の２画角同時録画処理中に生成された画角の異なる画像データを、ＬＣＤ１０９に同時に表示させる処理について説明する。
【００４４】
撮像装置１００は、画像データａ１から生成される画像データａ３、及び画像データｂ１から生成される画像データｂ３をＬＣＤ１０９に同時に表示させる機能を有している。例えば、図５に示すように、撮像領域Ａに対応する画像データａ３が、親画面Ｄ１としてＬＣＤ１０９の表示画面全体に表示されている。撮像領域Ｂに対応する画像データｂ３は、親画面Ｄ１よりも小さいサイズの子画面Ｄ２として親画面Ｄ１上の一部に重ねて表示される。また、親画面Ｄ１上には、撮像領域Ｂの切り出し位置を示す矩形のガイド枠Ｇ１を表示させることもできる。
【００４５】
図６は、このような画像データを同時に表示させる処理のフローチャートである。
【００４６】
２画角同時録画処理（図４）のブロックＢ４１２において第１録画用ズーム処理部３によるズーム処理の結果生成された画像データａ１（撮像領域Ａに対応）は、ブロックＢ４１６においてフィールドバッファ空間２０２ａに書き込まれる。画像データ表示処理では、この画像データａ１がフィールドバッファ空間２０２ａから読み出される（ブロックＢ６０２）。親画面用リサイズ処理部５は、読み出された画像データａ１に対してリサイズ処理を行い、画像データａ３を生成する（ブロックＢ６０４）。この親画面用リサイズ処理部５によるリサイズ処理は、親画面Ｄ１のサイズ及び表示フォーマットに基づいて行われる。親画面用リサイズ処理部５は具体的には、画素補完や画素間引き等を含むズーム処理を行う。
【００４７】
上述の２画角同時録画処理において第１録画用ズーム処理部３が行ったズーム処理のズーム倍率とは異なるズーム倍率が、親画面表示用のズーム倍率として設定された場合（例えば、表示用と録画用で異なったズーム倍率が設定されているような場合）のリサイズ処理は、表示用のズーム倍率にも基づいて行われる。
【００４８】
親画面用リサイズ処理部５によるリサイズ処理の結果生成された画像データａ３は、メモリ２上のフィールドバッファ空間２０３に記憶される（ブロックＢ６０６）。画像データａ３をフィールドバッファ空間２０３に記憶する際には、親画面用リサイズ処理部５は、フィールドバッファ空間２０３の子画面Ｄ２に相当する領域Ｒをマスクして書き壊さないようにする。この子画面Ｄ２に相当する領域には、撮像領域Ｂに対応する画像データｂ３が書き込まれるためである。ＬＣＤ１０９の表示画面上で子画面Ｄ２を指定するための座標情報（子画面Ｄ２の各頂点の座標）は、予め所定のメモリ領域に記憶されている。
【００４９】
また、２画角同時録画処理（図４）のブロックＢ４２２において第２録画用ズーム処理部４によるズーム処理の結果生成された画像データｂ１（撮像領域Ｂに対応）は、フィールドバッファ空間２０２ｂに書き込まれている。画像データｂ１はフィールドバッファ空間２０２ｂから読み出され（ブロックＢ６１２）、子画面用リサイズ処理部６は、読み出された画像データｂ１に対して、リサイズ処理を行い、画像データｂ３を生成する（ブロックＢ６１４）。子画面用リサイズ処理部６によるリサイズ処理は、子画面Ｄ２のサイズ及び表示フォーマットに基づいて行われる。子画面用リサイズ処理部６は具体的には、画素補完や画素間引き等を含むズーム処理を行う。
【００５０】
上述の２画角同時録画処理において第２録画用ズーム処理部４が行ったズーム処理のズーム倍率とは異なるズーム倍率が、子画面表示用のズーム倍率として設定された場合（例えば、表示用と録画用で異なったズーム倍率が設定されているような場合）のリサイズ処理は、表示用のズーム倍率にも基づいて行われる。表示用のズーム倍率は、親画面と子画面とで同じ倍率が設定されてもよいが、異なる倍率が設定されてもよい。
【００５１】
子画面用リサイズ処理部６によるリサイズ処理の結果生成された画像データｂ３は、メモリ２上のフィールドバッファ空間２０３に記憶される（ブロックＢ６１６）。このとき、画像データｂ３は、フィールドバッファ空間２０３の子画面Ｄ２に相当する領域Ｒに書き込まれる。
【００５２】
以上のようにして生成された画像データａ３及び画像データｂ３は、フィールドバッファ空間２０３で合成され、合成の結果として表示データが生成される。生成された表示データは、表示・音声制御部１５に送られ、ＬＣＤ１０９あるいは外部出力端子１８のインタフェース合わせたタイミングで出力されて表示される（ブロックＢ６２０）。
【００５３】
従ってＬＣＤ１０９には、図５に示すように、撮像領域Ａに対応する画像データａ３を表示する親画面Ｄ１と、撮像領域Ｂに対応する画像データｂ３を表示する子画面Ｄ２とが重ねて表示される。このような画面表示により、ユーザは、録画中の２画角の映像を確認することができる。
【００５４】
以上の説明では、親画面Ｄ１に画像データａ３が、子画面Ｄ２に画像データｂ３が表示されるとしたが、これとは逆に、親画面Ｄ１に画像データｂ３が、子画面Ｄ２に画像データａ３が表示されるように構成されてもよい。また、ユーザによる操作部７の操作に応じて、親画面Ｄ１と子画面Ｄ２に表示される画像データが入れ替わってもよい。また、子画面Ｄ２の表示位置及び表示サイズは、ユーザによる操作部７の操作に応じて、親画面Ｄ１上で変動してもよい。また、ユーザによる操作部７の操作に応じて子画面Ｄ２（又は親画面Ｄ１）を非表示としてもよい。また、画像データａ３及び画像データｂ３を合成した画像データが、ＨＤＤ１９あるいは外部記録媒体２０に記録されてもよい。
【００５５】
上述の説明では、親画面Ｄ１に表示する画像データに対する処理（画像データａ１から画像データａ３を生成する処理：ブロックＢ６０２〜Ｂ６０６）と子画面Ｄ２に表示する画像データに対する処理（画像データｂ１から画像データｂ３を生成する処理：ブロックＢ６１２〜Ｂ６１６）とが並列的に行われたが、親画面Ｄ１に表示される画像データａ３が生成された後に子画面Ｄ２に表示される画像データｂ３の生成が行われてもよい。あるいは逆に、画像データｂ３が生成された後に画像データａ３の生成が行われてもよい。
【００５６】
以上のように本実施形態による撮像装置１００では、撮像領域Ａの座標情報Ｐに応じた画像データａ０、及び撮像領域Ｂの座標情報Ｑに応じた画像データｂ０が最大広角画像データｃから切りだされた。切り出された画像データａ０及びｂ０は、設定されたズーム倍率に応じて第１録画用ズーム処理部３及び第２の録画用ズーム処理部４によってズーム処理され、画像データａ１、ｂ１が生成される。生成された画像データａ１及び画像データｂ１は、第１コーデック部１３及び第２コーデック部１４によって圧縮されてＨＤＤ１９及び外部記録媒体２０に記録される。また、画像データａ１及び画像データｂ１は、親画面Ｄ１及び親画面Ｄ２のサイズに応じて親画面用リサイズ処理部５及び子画面用リサイズ処理部６によってリサイズ処理され、ＬＣＤ１０９に表示される。
【００５７】
ユーザの指示によってズーム倍率の設定が変化すると、撮像領域Ｃに対する撮像領域Ａ及び撮像領域Ｂの大きさも変化する。すなわち、撮像領域Ａを指定する座標情報Ｐ及び撮像領域Ｂを指定する座標情報Ｑも変化する。これに応じて、最大広角画像データｃから画像データａ０及び画像データｂ０として切り出される領域も変化する。
【００５８】
以下では、ズーム倍率の変化に伴う切り出し領域の変化について説明する。
【００５９】
本実施形態による撮像装置１００には、連動ズームモードと独立ズームモードの２つのズームモードが用意されている。連動ズームモードでは、撮像領域Ａのズーム倍率の変化と、撮像領域Ｂのズーム倍率の変化とが連動する。すなわち、連動ズームモードが設定されている場合、いずれかの撮像領域のズーム倍率が変化すると、他方の撮像領域のズーム倍率も同様に変化する（例えば、同一の増大率でズーム倍率が変化する）。これに対して独立ズームモードでは、撮像領域Ａのズーム倍率の変化と撮像領域Ｂのズーム倍率の変化は、互いに独立である。つまり、独立ズームモードが設定されている場合は、一方の撮像領域のズーム倍率が変化しても、他方の撮像領域のズーム倍率は変化しない。ユーザは操作部７を操作することで、これらのモードを任意に切り換えることができる。
【００６０】
図７は、撮像領域Ｂのズーム倍率の変更が指示された場合に実行される、座標情報の更新処理のフローチャートを示す。
【００６１】
ユーザが、操作部７を操作して撮像領域Ｂのズーム倍率変更を指示すると（ブロックＢ７０２）、ＣＰＵ１は、独立ズームモードが設定されているか否かを判断する（ブロックＢ７０４）。
【００６２】
独立ズームモードが設定されている場合は（ブロックＢ７０４でＹｅｓ）、撮像領域Ｂをユーザに指示されたズーム倍率に基づいて拡大又は縮小した領域Ｂ´の頂点（Ｑ０´，Ｑ１´，Ｑ２´，Ｑ３´）の座標情報Ｑｔｍｐを、大小判定回路１０が算出する（ブロックＢ７０６）。座標情報Ｑｔｍｐの算出は、撮像領域Ｂを指定する座標情報Ｑ（図３参照）に基づいて行われる。
【００６３】
大小判定回路１０は、撮像領域Ａを指定する座標情報Ｐ（図３参照）及び算出された座標情報Ｑｔｍｐに基づいて、領域Ｂ´が撮像領域Ａ内に含まれるか否かを判断する（ブロックＢ７０８）。
【００６４】
領域Ｂ´が撮像領域Ａ内に含まれる場合は（ブロックＢ７０８でＹｅｓ）、撮像領域Ｂを指定する座標情報Ｑは、算出された座標情報Ｑｔｍｐによって置き換えられる（ブロックＢ７１０）。従って、上述の２画角同時録画処理のブロックＢ４２０で画像データｂ０として読み出されるのは、座標情報Ｑｔｍｐによって指定される領域Ｂ´に対応する画像データとなる。
【００６５】
一方、領域Ｂ´が撮像領域Ａ内に納まりきらず、撮像領域Ａからはみ出してしまう場合には（ブロックＢ７０８でＮｏ）、座標情報Ｑｔｍｐを調整して領域Ｂ´が撮像領域Ａからはみ出さないようにする（ブロックＢ７１２）。座標情報Ｑｔｍｐを調整するには、様々な方法が考えられるが、ここでは以下の２例を挙げる。
【００６６】
（１）領域Ｂ´をずらして撮像領域Ａ内に納める。
【００６７】
図８に示す例では、領域Ｂ´は、水平方向にＸ画素分、垂直方向にＹ画素分、撮像領域Ａからはみ出している。このため、領域Ｂ´が水平方向に−Ｘ画素、垂直方向に−Ｙ画素移動するように座標情報Ｑｔｍｐを調整する。すなわち領域Ｂ´の中心が移動する。調整後の座標情報Ｑｔｍｐによって指定される領域Ｂ´は、撮像領域Ａ内に納まり、領域Ｂ´のサイズは変更されない。
【００６８】
（２）撮像領域Ａからはみ出す部分は、領域Ｂ´から切り落とす。
【００６９】
図９に示す例でも同様に、領域Ｂ´は、水平方向にＸ画素分、垂直方向にＹ画素分、撮像領域Ａからはみ出している。このため、座標情報Ｑｔｍｐを調整して、撮像領域Ａからはみ出している水平方向のＸ画素分、垂直方向のＹ画素分を領域Ｂ´から取り除く。調整後の座標情報Ｑｔｍｐによって指定される領域Ｂ´は、撮像領域Ａ内に納まる。すなわち、撮像領域Ｂの拡大は、撮像領域Ｂが撮像領域Ａからはみ出さないように抑制される。このとき領域Ｂ´のサイズは縮小される。
【００７０】
なお、座標情報Ｑｔｍｐの調整は、この（１）、（２）の例に限定されず、調整後の座標情報Ｑｔｍｐによって指定される領域Ｂ´が、撮像領域Ａからはみ出さないような調整であれば、どのような調整方法が採用されてもよい。座標情報Ｑｔｍｐの調整方法として、どのような方法を用いるかは、予めユーザによって設定されていてもよい。また、動画撮影中であっても、ユーザによる指示に応じて調整方法が切り換えられてもよい。
【００７１】
以上のようにして座標情報Ｑｔｍｐが調整され、撮像領域Ｂを指定する座標情報Ｑは、調整された座標情報Ｑｔｍｐによって置き換えられる（ブロックＢ７１０）。従って、上述の２画角同時録画処理のブロックＢ４２０で画像データｂ０として読み出されるのは、調整後の座標情報Ｑｔｍｐによって指定される領域Ｂ´に対応する画像データとなる。
【００７２】
また、独立ズームモードではなく、ズーム倍率が撮像領域Ａと撮像領域Ｂ間で連動する連動ズームモードが設定されている場合は（ブロックＢ７０４でＮｏ）、撮像領域Ｂだけではなく、撮像領域Ａもユーザが指示したズーム倍率に応じて拡大される。従って、大小判定回路１０は、撮像領域Ａをユーザに指示されたズーム倍率に基づいて拡大又は縮小した領域Ａ´の頂点（Ｐ０´，Ｐ１´，Ｐ２´，Ｐ３´）の座標情報Ｐｔｍｐ、及び撮像領域Ｂを同じズーム倍率に基づいて拡大又は縮小した領域Ｂ´の頂点（Ｑ０´，Ｑ１´，Ｑ２´，Ｑ３´）の座標情報Ｑｔｍｐを算出する（ブロックＢ７１４）。座標情報Ｐｔｍｐ及びＱｔｍｐの算出は、撮像領域Ａを指定する座標情報Ｐ及び撮像領域Ｂを指定する座標情報Ｑ（図３参照）に基づいて行われる。
【００７３】
そして、撮像領域Ａを指定する座標情報Ｐは算出された座標情報Ｐｔｍｐによって、また撮像領域Ｂを指定する座標情報Ｑは算出された座標情報Ｑｔｍｐによって置き換えられる（ブロックＢ７１６）。従って、上述の２画角同時録画処理のブロックＢ４１０で画像データａ０として読み出されるのは、座標情報Ｐｔｍｐによって指定される領域Ａ´に対応する画像データとなり、ブロックＢ４２０で画像データｂ０として読み出されるのは、座標情報Ｑｔｍｐによって指定される領域Ｂ´に対応する画像データとなる。
【００７４】
以上説明したように、図７に示す座標情報の更新処理によれば、ユーザによる撮像領域Ｂのズーム倍率の変更指示に応じて、撮像領域Ｂを指定する座標情報Ｑを変更することができる。独立ズームモードが設定されている場合は、ズーム後の撮像領域Ｂが撮像領域Ａに収まらなければ、撮像領域Ｂが撮像領域Ａからはみ出さないように座標情報Ｑが調整される。一方、連動ズームモードが設定されていれば、撮像領域Ａを指定する座標情報Ｐも連動して変更される。
【００７５】
次に、撮像領域Ａのズーム倍率の変更が指示された場合の動作について説明する。
【００７６】
図１０は、撮像領域Ａのズーム倍率の変更が指示された場合に実行される、座標情報の更新処理のフローチャートを示す。
【００７７】
ユーザが、操作部７を操作して撮像領域Ａのズーム倍率変更を指示すると（ブロックＢ１００２）、ＣＰＵ１は、独立ズームモードが設定されているか否かを判断する（ブロックＢ１００４）。
【００７８】
独立ズームモードが設定されている場合は（ブロックＢ１００４でＹｅｓ）、撮像領域Ａをユーザに指示されたズーム倍率に基づいて拡大又は縮小した領域Ａ´の各頂点の座標情報Ｐｔｍｐを、大小判定回路１０が算出する（ブロックＢ１００６）。座標情報Ｐｔｍｐの算出は、撮像領域Ａを指定する座標情報Ｐ（図３参照）に基づいて行われる。
【００７９】
大小判定回路１０は、算出された座標情報Ｐｔｍｐと、撮像領域Ｂを指定する座標情報Ｑ（図３参照）とに基づいて、領域Ａ´内に撮像領域Ｂが包含されるか否かを判断する（ブロックＢ１００８）。
【００８０】
領域Ａ´が撮像領域Ｂを内包する場合は（ブロックＢ１００８でＹｅｓ）、撮像領域Ａを指定する座標情報Ｐは、算出された座標情報Ｐｔｍｐによって置き換えられる（ブロックＢ１０１０）。従って、上述の２画角同時録画処理のブロックＢ４１０で画像データａ０として読み出されるのは、座標情報Ｐｔｍｐによって指定される領域Ａ´に対応する画像データとなる。
【００８１】
一方、撮像領域Ｂが領域Ａ´内に納まりきらず、領域Ａ´からはみ出してしまう場合には（ブロックＢ１００８でＮｏ）、座標情報Ｑを調整して撮像領域Ｂが領域Ａ´からはみ出さないようにする（ブロックＢ１０１２）。座標情報Ｑを調整するには、上述の座標情報Ｑｔｍｐの調整と同様に、以下の方法が用いられる。
【００８２】
（１）撮像領域Ｂをずらして領域Ａ´内に納める。
【００８３】
撮像領域Ｂが水平方向にＸ画素分、垂直方向にＹ画素分、領域Ａ´からはみ出している場合は、撮像領域Ｂを水平方向に−Ｘ画素、垂直方向に−Ｙ画素移動させて座標情報Ｑを調整する。
【００８４】
（２）領域Ａ´からはみ出す部分は、撮像領域Ｂから切り落とす。
【００８５】
撮像領域Ｂが、水平方向にＸ画素分、垂直方向にＹ画素分、領域Ａ´からはみ出している場合、水平方向のＸ画素分、垂直方向のＹ画素分が撮像領域Ｂから取り除かれるよう、座標情報Ｑが調整される。
【００８６】
なお、座標情報Ｑの調整は、この（１）、（２）の例に限定されず、調整後の座標情報Ｑによって指定される撮像領域Ｂが、領域Ａ´からはみ出さないような調整であれば、どのような調整方法が採用されてもよい。座標情報Ｑの調整方法として、どのような方法を用いるかは、予めユーザによって設定されていてもよい。また、動画撮影中であっても、ユーザによる指示に応じて調整方法が切り換えられてもよい。
【００８７】
撮像領域Ｂを指定する座標情報Ｑは、以上のようにして調整された座標情報によって置き換えられる。従って、上述の２画角同時録画処理のブロックＢ４２０で画像データｂ０として読み出されるのは、調整後の座標情報Ｑによって指定される撮像領域Ｂに対応する画像データとなる。
【００８８】
また、独立ズームモードではなく、ズーム倍率が撮像領域Ａと撮像領域Ｂ間で連動する連動ズームモードが設定されている場合は（ブロックＢ１００４でＮｏ）、撮像領域Ａだけではなく、撮像領域Ｂもユーザが指示したズーム倍率に応じて拡大される。従って、大小判定回路１０は、撮像領域Ａをユーザに指示されたズーム倍率に基づいて拡大又は縮小した領域Ａ´の頂点の座標情報Ｐｔｍｐ、及び撮像領域Ｂを同じズーム倍率に基づいて拡大又は縮小した領域Ｂ´の頂点の座標情報Ｑｔｍｐを算出する（ブロックＢ１０１４）。座標情報Ｐｔｍｐ及びＱｔｍｐの算出は、撮像領域Ａを指定する座標情報Ｐ及び撮像領域Ｂを指定する座標情報Ｑ（図３参照）に基づいて行われる。
【００８９】
そして、撮像領域Ａを指定する座標情報Ｐは算出された座標情報Ｐｔｍｐによって、また撮像領域Ｂを指定する座標情報Ｑは算出された座標情報Ｑｔｍｐによって置き換えられる（ブロックＢ１０１６）。従って、上述の２画角同時録画処理のブロックＢ４１０で画像データａ０として読み出されるのは、座標情報Ｐｔｍｐによって指定される領域Ａ´に対応する画像データとなり、ブロックＢ４２０で画像データｂ０として読み出されるのは、座標情報Ｑｔｍｐによって指定される領域Ｂ´に対応する画像データとなる。
【００９０】
以上説明したように、図１０に示す座標情報の更新処理によれば、ユーザによる撮像領域Ａのズーム倍率の変更指示に応じて、撮像領域Ａを指定する座標情報Ｐを変更することができる。独立ズームモードが設定されている場合は、撮像領域Ｂがズーム後の撮像領域Ａに収まらなければ、撮像領域Ｂが撮像領域Ａからはみ出さないように座標情報Ｑが調整される。一方、連動ズームモードが設定されていれば、撮像領域Ｂを指定する座標情報Ｑも同様に変更される。
【００９１】
以上の説明では、ズーム処理後、撮像領域Ａに撮像領域Ｂが収まらない場合には、撮像領域Ｂの座標情報Ｑを調整するとした。しかしながら、撮像領域Ａの座標情報Ｐが調整されてもよい。あるいは、撮像領域Ａ、Ｂの座標情報Ｑ，Ｐ両方を調整するようにしてもよい。
【００９２】
以上述べたように、撮像装置１００は、最大広角画像データｃから撮像領域Ａに対応する画像データと撮像領域Ｂに対応する画像データとを切り出して、それぞれ独立にＨＤＤ１９又は外部記憶媒体２０に、同時に保存する機能を有している。更に、撮像装置１００は、切り出した画像データを基にして、撮像領域Ａの画面と撮像領域Ｂの画面とを合成してＬＣＤ１０９に表示する機能をも有する。
【００９３】
すなわち、この撮像装置１００によれば、１つのカメラ部１０７で撮影された１画像分の画像データから、２画像分の画像データを切り出して、当該２画像の画像データをそれぞれ記録したり、当該２画像を合成した合成画像を記録したりすることができる。
【００９４】
さらに撮像装置１００は、撮像領域Ａと撮像領域Ｂとで独立して、又は連動してズーム倍率を制御することができる。ズーム処理の結果、撮像領域Ｂが撮像領域Ａからはみ出してしまう場合には、撮像領域Ａが撮像領域Ｂを包含するように、撮像領域Ｂの頂点の座標が調整される。このように、同時に撮影される２画角それぞれのズーム制御を２画角の状態に応じて最適に制御する手段を有することで、ユーザが効率良く、かつ容易に操作できることを可能する。
【００９５】
変形例
本発明は上述した実施形態に限定されず、種々変形して実施可能である。例えば、上述の図７及び図１０のフローチャートに関して、独立ズームモードでは、ズーム処理の結果撮像領域Ｂが撮像領域Ａからはみ出してしまう場合には、座標情報の調整が行われるとして説明した。これに加えて、ズーム処理の結果、撮像領域Ａと撮像領域Ｂが一致したら、ズームモードが独立ズームモードから連動ズームモードへ切り換えられてもよい。モードが切り換えられた後は、いずれかの撮像領域のズーム倍率が変更されると、他方の撮像領域も連動してズーム倍率が変化する。
【００９６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００９７】
また、本発明は、コンピュータに所定の手段を実行させるため、コンピュータを所定の手段として機能させるため、コンピュータに所定の機能を実現させるため、あるいはプログラムを記録したコンピュータ読取り可能な記録媒体としても実施することもできる。
【００９８】
また、上述の説明は個々の実施例それぞれについて行ったが、複数の実施例を適宜組み合わせてもよい。
【図面の簡単な説明】
【００９９】
【図１】本発明の一実施形態に係る撮像装置の構成を示すブロック図。
【図２】図１の撮像装置の撮像領域の例を示す図。
【図３】撮像領域の座標情報を格納するテーブルの一例を示す図。
【図４】本発明の一実施形態に係る２画角同時録画処理のフローチャート。
【図５】ＬＣＤに表示される親画面及び子画面の一例を示す図。
【図６】画像データを同時に表示させる処理のフローチャート。
【図７】撮像領域Ｂのズーム倍率の変更が指示された場合に実行される座標情報更新処理のフローチャート。
【図８】座標情報調整方法の一例を説明するための図。
【図９】座標情報調整方法の他の一例を説明するための図。
【図１０】撮像領域Ａのズーム倍率の変更が指示された場合に実行される座標情報更新処理のフローチャート。
【符号の説明】
【０１００】
１…ＣＰＵ，２…メモリ、３…第１録画用ズーム処理部、４…第２録画用ズーム処理部、５…親画面用リサイズ処理部、６…子画面用リサイズ処理部、７…操作部、８…記録制御部、９…内部バス、１０…大小判定回路、１１…データ入力部、１２…データ処理部、１３…第１コーデック部、１４…第２コーデック部、１５…表示・音声制御部、１７…スピーカ、１８…外部出力端子、１９…ＨＤＤ、２０…外部記憶媒体、１００…撮像装置、１０７…カメラ部、１０９…ＬＣＤモニタ。
【図１】
2010010925.tif 000003
【図２】
2010010925.tif 000004
【図３】
2010010925.tif 000005
【図４】
2010010925.tif 000006
【図５】
2010010925.tif 000007
【図６】
2010010925.tif 000008
【図７】
2010010925.tif 000009
【図８】
2010010925.tif 000010
【図９】
2010010925.tif 000011
【図１０】
2010010925.tif 000012